(57)【要約】  マルチプレクサを具備する分散型基地局の新規なアーキテクチャを提供する。基地局は、インターネット・プロトコル（ＩＰ）通信チャネルを介して基地局制御器インターフェイス・データを送信する。マルチプレクサはそのデータを受信し、それを他の基地局制御器インターフェイス・データと組合せ、単一の基地局制御器インターフェイス・データ信号を形成する。
2009526421.tif 000002
【特許請求の範囲】
【請求項１】
セルラー・ネットワーク配置の改良において、
デマルチプレクサ（ＤＥＭＵＸ）であって、
基地局制御器から基地局制御器デマルチプレクサ（ＢＳＣＤＩｕｂ）データ信号を受信し、デマルチプレクサＩｕｂ転送ブロック（ＤＩｕｂＴＢ）データ信号を生成するためのネットワーク・インターフェイス装置、
前記ネットワーク・インターフェイス装置に結合され、前記ＤＩｕｂＴＢデータ信号を遅延させ、遅延デマルチプレクサ転送ブロック（ＤＤＩｕｂＴＢ）を生成するための遅延装置、
前記遅延装置に結合され、インターネット・プロトコルＺＣｅｌｌアドレス（ＩＰＺＡＤ）データ信号を生成するためのアドレス生成装置、および
前記アドレス生成装置および前記遅延装置に結合され、前記ＩＰＺＡＤデータ信号を前記ＤＤＩｕｂＴＢデータ信号と組合せ、ＺＣｅｌｌＩｕｂオーバ・インターネット・プロトコル（ＺＩｕｂＩＰ）データ信号を生成するためのインターネット・プロトコル・インターフェイス装置、からなるＤＥＭＵＸと、
ＺＣｅｌｌ送信機であって、
前記ＺＩｕｂＩＰデータ信号を受信し、かつＺＣｅｌｌＩｕｂ転送ブロック・データ（ＺＩｕｂＴＢＤ）信号を生成するためのインターネット・プロトコル・インターフェイス装置、
前記インターネット・プロトコル・インターフェイス装置に結合され、送信トラフィック・データ（ＴＴＤ）信号を生成するためのプロセッサ、
前記プロセッサに結合され、送信ベースバンド変調トラフィック・データ（ＴＢＢＭＴＤ）信号を生成するためのチャネル要素手段、
前記チャネル要素手段に結合され、送信無線周波数変調トラフィック・データ（ＴＲＦＭＴＤ）信号を生成するための無線周波数アップ・コンバータ（ＲＦＵＣ）、
前記ＲＦＵＣ装置に結合され、前記ＴＲＦＭＴＤ信号を増幅し、かつ増幅送信無線周波数変調トラフィック・データ（ＡＴＲＦＭＴＤ）信号を生成するための電力増幅器装置、
前記電力増幅器装置に結合され、前記ＡＴＲＦＭＴＤ信号を濾波し、かつ濾波増幅送信無線周波数変調トラフィック・データ（ＦＡＴＲＦＭＴＤ）信号を生成するためのコンバイナ、および
前記コンバイナに結合され、通信チャネルを介して前記ＦＡＴＲＦＭＴＤ信号を放射するための送信機アンテナ、からなるＺＣｅｌｌ送信機と、
ＺＣｅｌｌ受信機であって、
前記ＺＣｅｌｌ受信機を通信チャネルに結合するための受信機アンテナ、
前記受信機アンテナに結合され、他の非受信の帯域外信号から受信無線周波数変調トラフィック・データ（ＲＲＦＭＴＤ）信号を分離し、かつ濾波受信無線周波数変調トラフィック・データ（ＦＲＲＦＭＴＤ）信号を出力するためのコンバイナ、
前記コンバイナに結合され、受信ベースバンド変調トラフィック・データ（ＲＢＢＭＴＤ）信号を生成するための無線周波数ダウン・コンバータ（ＲＦＤＣ）、
前記ＲＦＤＣ装置に結合され、受信トラフィック・データ（ＲＴＤ）信号を復調し、かつ生成するためのチャネル要素手段、
前記チャネル要素手段に結合され、Ｉｕｂ転送ブロック（ＩｕｂＴＢ）データ信号を生成するためのプロセッサ、および
前記プロセッサに結合され、インターネット・プロトコル・パケットのオーバーヘッドおよびフレームを前記ＩｕｂＴＢデータ信号に加え、かつマルチプレクサＩｕｂオーバ・インターネット・プロトコル（ＭＩｕｂＩＰ）データ信号を生成するためのインターネット・プロトコル・インターフェイス装置、からなるＺＣｅｌｌ受信機と、
マルチプレクサ（ＭＵＸ）であって、
Ｉｕｂ通信チャネルから前記ＭＩｕｂＩＰデータ信号を受信し、かつマルチプレクサＩｕｂ転送ブロック（ＭＩｕｂＴＢ）データ信号を生成するためのインターネット・プロトコル・インターフェイス装置、
前記インターネット・プロトコル・インターフェイス装置に結合され、前記ＭＩｕｂＴＢデータ信号を適時に遅延させ、かつ遅延マルチプレクサＩｕｂ転送ブロック（ＤＭＩｕｂＴＢ）データ信号を遅延させる遅延装置、
前記遅延装置に結合され、組合せＩｕｂ転送ブロック（ＣＩｕｂＴＢ）データ信号を生成するためのコンバイナ、および
前記コンバイナに結合され、基地局制御器マルチプレクサＩｕｂ（ＢＳＣＭｔｕｂ）データ信号を生成するためのネットワーク・インターフェイス装置、からなるＭＵＸと、
を含むことを特徴とするセルラー・ネットワーク配置の改良。
【請求項２】
前記ＤＥＭＵＸは、
前記ＤＥＭＵＸのインターネット・プロトコル・インターフェイス装置に結合され、第２のインターネット・プロトコルＺＣｅｌｌアドレス（２ＩＰＺＡＤ）データ信号を生成するための第２のアドレス生成装置、および
前記第２のアドレス生成装置に結合され、かつ前記遅延装置に結合され、前記２ＩＰＺＡＤデータ信号を前記ＤＤＩｕｂＴＢと組合せ、第２のＺＣｅｌｌＩｕｂオーバ・インターネット・プロトコル（２ＺＩｕｂＩＰ）データ信号を生成するためのインターネット・プロトコル・インターフェイス装置、
をさらに含むことを特徴とする請求項１記載の分散型基地局のアーキテクチャ。
【請求項３】
前記ＭＵＸは、
前記Ｉｕｂ通信チャネルから第２のマルチプレクサＩｕｂオーバ・インターネット・プロトコル（ＭＩｕｂＩＰ２）データ信号を受信し、第２のマルチプレクサＩｕｂ転送ブロック（ＭＩｕｂＴＢ２）データ信号を生成する前記インターネット・プロトコル・インターフェイス装置、
前記インターネット・プロトコル・インターフェイス装置に結合され、前記ＭＩｕｂＴＢ２データ信号を適時に遅延させ、第２の遅延マルチプレクサＩｕｂ転送ブロック（ＤＭＩｕｂＴＢ２）データ信号を生成するための第２の遅延装置、および
前記遅延装置および前記第２の遅延装置に結合され、組合せＩｕｂ転送ブロック（ＣＩｕｂＴＢ）データ信号を生成するための前記コンバイナ、
をさらに含むことを特徴とする請求項２記載の分散型基地局のアーキテクチャ。
【発明の詳細な説明】
【技術分野】
【０００１】
本発明は、セルラー・ネットワークに関し、さらに詳しくは、マルチプレクサ（ＭＵＸ）およびデマルチプレクサ（ＤＥＭＵＸ）を使用して、展開障壁を克服するため、およびモバイル・カバレージの強化のために、空間的に配置された複数の基地局からの信号を組合せる方法および機器に関する。
【背景技術】
【０００２】
第３世代およびそれ以降のセルラー・ネットワークにおけるモバイル・カバレージの配置には、基地局制御器（ＢＳＣ）に接続されるコア・ネットワークを有することを含む。ＢＳＣは、無線ネットワーク制御器（ＲＮＣ）としても知られるが、多くの基地局に接続される。各基地局は少なくとも１つのセクタを含み、各セクタはその無線カバレージ・エリア内にある携帯電話機に接続し、制御する。基地局制御器と各基地局との間の通信チャネルは唯一であり、かつ基地局に専用されるが、ここではＩｕｂ通信チャネルと称する。Ｉｕｂ通信チャネルによって、基地局と基地局制御器との間の制御、管理およびトラフィック・データの交換が可能となる。基地局制御器はリソースが制限されており、単に限定された数の個々の基地局を制御することができるのみである。したがって、大量の基地局を制御する基地局制御器を展開する際には、問題が存在する。
【発明の概要】
【０００３】
本発明の一般的な目的は、分散型基地局のセルラー・ネットワークがいくつかの基地局Ｉｕｂチャネルを１本の基地局制御器のＩｕｂチャネルに組合せるためのマルチプレクサ（ＭＵＸ）、および１本の基地局制御器のＩｕｂチャネルをいくつかの基地局Ｉｕｂチャネルへ分配するのためのデマルチプレクサ（ＤＥＭＵＸ）有することであり、それにより基地局制御器の容量を増大させる。
【０００４】
本発明によれば、ここに具体化され詳しく記述されるように、新規な分散型基地局のアーキテクチャは、ＤＥＭＵＸ、基地局のセクタ送信機、基地局のセクタ受信機、およびＭＵＸを含んで提供される。ここでは各基地局のセクタをＺＣｅｌｌと称する。ＤＥＭＵＸは、ネットワーク・インターフェイス装置、遅延装置、アドレス生成装置、およびインターネット・プロトコル・インターフェイス装置を含む。ネットワーク・インターフェイス装置は、基地局制御器デマルチプレクサ（ＢＳＣＤＩｕｂ）データ信号を基地局制御器から受信し、デマルチプレクサＩｕｂ転送（トランスポート）ブロック（ＤＩｕｂＴＢ）データ信号を生成する。遅延装置は、ＤＩｕｂＴＢデータ信号を遅延させ、遅延デマルチプレクサ転送ブロック（ＤＤＩｕｂＴＢ）を生成する。アドレス生成装置は、インターネット・プロトコルＺＣｅｌｌアドレス（ＩＰＺＡＤ）データ信号を生成する。インターネット・プロトコル・インターフェイス装置は、ＩＰＺＡＤ信号およびＤＤＩｕｂＴＢ信号を組合せて、ＺＣｅｌｌＩｕｂオーバ・インターネット・プロトコル（ＺＩｕｂＩＰ）データ信号を生成する。
【０００５】
ＺＣｅｌｌ送信機は、インターネット・プロトコル・インターフェイス装置、プロセッサ、チャネル要素手段、無線周波数アップ・コンバータ、電力増幅器、コンバイナ、およびアンテナを含む。インターネット・プロトコル・インターフェイス装置は、ＺＩｕｂＩＰデータ信号を受信し、ＺＣｅｌｌＩｕｂ転送ブロック・データ（ＺＩｕｂＴＢＤ）信号を生成する。プロセッサは、送信（される）トラフィック・データ（ＴＴＤ）信号を生成する。チャネル要素手段は、送信（される）ベースバンド変調トラフィック・データ（ＴＢＢＭＴＤ）信号を生成する。無線周波数アップ・コンバータは、送信（される）無線周波数変調トラフィック・データ（ＴＲＦＭＴＤ）信号を生成する。電力増幅器は、増幅（された）送信無線周波数変調トラフィック・データ（ＡＴＲＦＭＴＤ）信号を生成する。コンバイナは、ＡＴＲＦＭＴＤ信号を濾波し、濾波（された）増幅送信無線周波数変調トラフィック・データ（ＦＡＴＲＦＭＴＤ）信号を生成する。そして、アンテナは、通信チャネル上のＦＡＴＲＦＭＴＤ信号を放射する。
【０００６】
ＺＣｅｌｌ受信機は、アンテナ、コンバイナ、無線周波数ダウン・コンバータ（ＲＦＤＣ）装置、チャネル要素手段、プロセッサ、インターネット・プロトコル・インターフェイス装置を含む。アンテナは、ＺＣｅｌｌ受信機を通信チャネルに結合する。コンバイナは、他の非受信の帯域外信号から受信（された）無線周波数変調トラフィック・データ（ＲＲＦＭＴＤ）信号を分離し、濾波（された）受信無線周波数変調トラフィック・データ（ＦＲＲＦＭＴＤ）信号を無線周波数ダウン・コンバータ（ＲＦＤＣ）装置へ出力する。ＲＦＤＣは、受信（された）ベースバンド変調トラフィック・データ（ＲＢＢＭＴＤ）信号を生成する。チャネル要素手段は、受信（された）トラフィック・データ（ＲＴＤ）信号を生成する。プロセッサは、Ｉｕｂ転送ブロック（ＩｕｂＴＢ）データ信号を生成する。インターネット・プロトコル・インターフェイス装置は、インターネット・プロトコル・パケットのオーバーヘッドおよびフレームをＩｕｂＴＢデータ信号に加え、マルチプレクサＩｕｂオーバ・インターネット・プロトコル（ＭＩｕｂＩＰ）データ信号を生成する。
【０００７】
ＭＵＸは、インターネット・プロトコル・インターフェイス装置、遅延装置、コンバイナ、およびネットワーク・インターフェイス装置を含む。インターネット・プロトコル・インターフェイス装置は、ＭＩｕｂＩＰデータ信号をＩｕｂ通信チャネルから受信し、マルチプレクサＩｕｂ転送ブロック（ＭＩｕｂＴＢ）データ信号を生成する。遅延装置は、遅延（された）マルチプレクサＩｕｂ転送ブロック（ＤＭＩｕｂＴＢ）データ信号を生成する。コンバイナは、ＤＭＩｕｂＴＢデータ信号を線形に組合せ、組合せＩｕｂ転送ブロック（ＣＩｕｂＴＢ）データ信号を生成する。ネットワーク・インターフェイス装置は、基地局制御器マルチプレクサＩｕｂ（ＢＳＣＭＩｕｂ）データ信号を生成する。
【０００８】
本発明の別の目的および利点は、本記述中に部分的に述べられ、それはその記述から部分的に明白な部分もあり、また本発明の実施から読み取ることもできる。本発明の目的および利点は、さらに、添付の請求項で特に指摘された手段や結合によって認識されまた実現され得る。
【０００９】
添付図面は、明細書に組み込まれまた一部を構成しているが、本発明の好適な実施例を図示し、その記述と共に本発明の原理を説明する。図面において、類似の参照番号はいくつかの図における同種の要素を示す。
【発明の開示】
【００１０】
本発明の好ましい実施例の詳細に参照され、その例は添付図面中に示される。
【００１１】
本発明は、セルラー・システムで使用されるＤＥＭＵＸおよびＭＵＸを含む新規な分散型基地局のアーキテクチャを提供する。新規な基地局のアーキテクチャは、１またはそれ以上の基地局、１またはそれ以上のＤＥＭＵＸＥＳ、および１またはそれ以上のＭＵＸＥＳを含む。以下の議論は、複数の基地局、複数のＤＥＭＵＸＥＳ、および複数のＭＵＸＥＳがシステム中で使用されるという理解の下で、基地局、ＤＥＭＵＸ、およびＭＵＸに焦点をあてる。
【００１２】
ＤＥＭＵＸ
ＤＥＭＵＸ４０は、ネットワーク・インターフェイス装置１、遅延装置２、アドレス生成装置３、およびインターネット・プロトコル・インターフェイス装置４を含む。基地局制御器１７は、図５に示されるように、ネットワーク・インターフェイス装置１に結合される。ネットワーク・インターフェイス１は、遅延装置２に結合される。インターネット・プロトコル・インターフェイス装置４は、アドレス生成装置３および遅延装置２に結合される。
【００１３】
ネットワーク・インターフェイス装置１は、基地局制御器１７から基地局制御器デマルチプレクサＩｕｂデータを受信する。ネットワーク・インターフェイス装置１の主な機能は、基地局制御器１７との通信チャネルを終了することである。ネットワーク・インターフェイス装置１と基地局制御器１７との間の物理的な通信チャネル、およびその関連するプロトコルは、当技術において既知であり、そのようなものはネットワーク・インターフェイス装置１である。ネットワーク・インターフェイス装置１は、デマルチプレクサＩｕｂ転送ブロック（ＤＩｕｂＴＢ）データ信号を生成する。遅延装置２は、ＤＩｕｂＴＢデータ信号を適切に遅延させ、遅延（された）デマルチプレクサ転送ブロック（ＤＤＩｕｂＴＢ）データ信号を生成する。図１に示されるように、アドレス生成３は、宛先ＺＣｅｌｌインターネット・プロトコル（ＩＰ）アドレスを検索し、インターネット・プロトコルＺＣｅｌｌアドレス（ＩＰＺＡＤ）データ信号を生成する。アドレス生成装置３は、特定のアドレス・データ信号を生成させるために、当技術においてよく知られているように、適切なタップを備えたシフトレジスタを含んでいてもよい。それに代えてアドレス生成装置３は、デジタル信号プロセサ（ＤＳＰ）または特定用途向けＩＣ（ＡＳＩＣ）として、あるいはその一部として組み入れられてもよい。ＤＳＰおよびＡＳＩＣの構造およびそれらの使用法は、当技術分野において既知である。またそれに代えてアドレス生成装置３は、インターネット・プロトコルＺＣｅｌｌアドレス・データ信号を格納し、またインターネット・プロトコルＺＣｅｌｌアドレス・データ信号を出力するためのメモリを含んでいてもよい。そのメモリは、個別のコンポーネント、あるいはＤＳＰまたはＡＳＩＣの一部として構成されてもよい。
【００１４】
本発明は、１を超えるアドレス生成装置を有してもよく、その場合遅延デマルチプレクサ転送ブロック・データ信号は１を超えるＺＣｅｌｌ送信機に配送される。
【００１５】
インターネット・プロトコル・インターフェイス装置４は、インターネット・プロトコルＺＣｅｌｌアドレスを遅延デマルチプレクサＩｕｂ転送ブロック・データ信号と結合し、宛先ＺＣｅｌｌへ向けられるＺＣｅｌｌＩｕｂインターネット・プロトコル（ＺＩｕｂＩＰ）データ信号を生成する。インターネット・プロトコル・インターフェイス装置４の主な機能は、ＤＥＭＵＸ４０とＺＣｅｌｌ送信機５０との間のインターネット・プロトコル（ＩＰ）通信チャネルを終了させることである。インターネット・プロトコル（ＩＰ）通信チャネルは、当技術において既知で、そのようなものはインターネット・プロトコル・インターフェイス装置４である。
【００１６】
ＺＣｅｌｌ送信機
ＺＣｅｌｌ送信機５０は、図２に示されるように、インターネット・プロトコル・インターフェイス装置９、プロセッサ１１、チャネル要素手段１０、無線周波数アップ・コンバータ装置１２、電力増幅器３０、コンバイナ１３、および送信機アンテナ１４を含む。インターネット・プロトコル・インターフェイス装置９は、プロセッサ１１に結合される。プロセッサ１１は、チャネル要素手段１０に結合される。チャネル要素手段１０は、無線周波数アップ・コンバータ装置１２に結合される。無線周波数アップ・コンバータ装置１２は、電力増幅器３０に結合される。送信機アンテナ１４は、コンバイナ１３を介して電力増幅器３０に結合される。インターネット・プロトコル・インターフェイス装置９は、ＺＣｅｌｌＩｕｂオーバ・インターネット・プロトコル（ＺＩｕｂＩＰ）データ信号を受信し、ＺＣｅｌｌＩｕｂ転送ブロック・データ（ＺＩｕｂＴＢＤ）信号を生成する。インターネット・プロトコル・インターフェイス装置９の主な機能は、ＺＣｅｌｌ送信機５０とＤＥＭＵＸ４０との間のインターネット・プロトコル（ＩＰ）通信チャネルを終了させることである。インターネット・プロトコル（ＩＰ）通信チャネルは、当技術において既知で、そのようなものはインターネット・プロトコル・インターフェイス装置９である。プロセッサ１１は、送信（される）トラフィック・データ（ＴＴＤ）信号を生成する。プロセッサ１１は、デジタル信号プロセサ（ＤＳＰ）または特定用途向けＩＣ（ＡＳＩＣ）として、あるいはその一部として組み入れられてもよい。ＤＳＰおよびＡＳＩＣの構造およびそれらの使用法は、当技術分野において既知である。プロセッサ１１は、ＺＣｅｌｌ送信機５０の制御機能を格納するためのメモリを含んでいてもよい。そのメモリは、個別のコンポーネント、あるいはＤＳＰまたはＡＳＩＣの一部として構成されてもよい。チャネル要素手段１０の主な機能は、周知の技術として知られている第３世代の標準規格に従って、変調されたベースバンド・スペクトラム拡散信号を生成することである。単一のチャネル要素手段は、その処理能力が単一の音声通信セッションを維持するために必要とされるものとして従来技術で定義される。チャネル要素手段１０は、送信（される）ベースバンド変調トラフィック・データ（ＴＢＢＭＴＤ）信号を生成する。チャネル要素手段１０は、適切なタップを備えるシフトレジスタを含んでいてもよく、当技術において既知のように、ＴＢＢＭＴＤ信号を生成する。それに代えて、チャネル要素手段１０は、デジタル信号プロセサ（ＤＳＰ）または特定用途向けＩＣ（ＡＳＩＣ）として、あるいはその一部として組み入れられてもよい。ＤＳＰおよびＡＳＩＣの構造およびそれらの使用法は、当技術分野において既知である。それに代えてチャネル要素技術１０は、メモリを含んでいてもよい。そのメモリは、個別のコンポーネント、あるいはＤＳＰまたはＡＳＩＣの一部として構成されてもよい。
【００１７】
無線周波数アップ・コンバータ装置１２は、送信機無線周波数変調トラフィック・データ（ＴＲＦＭＴＤ）信号を生成する。無線周波数アップ・コンバータ装置１２は、当技術において既知である。
【００１８】
電力増幅器３０は、ＴＲＦＭＴＤ信号を増幅し、増幅（された）送信無線周波数変調トラフィック・データ（ＡＴＲＦＭＴＤ）信号を生成する。コンバイナ１３は、ＡＴＲＦＭＴＤ信号を濾波し、濾波（された）増幅送信無線周波数変調トラフィック・データ（ＦＡＴＲＦＭＴＤ）信号を生成する。コンバイナ１３の出力は、送信機アンテナ１４によって放射され、それは通信チャネルを介してＦＡＴＲＦＭＴＤ信号を送る。
【００１９】
ＺＣｅｌｌ受信機
ＺＣｅｌｌ受信機７０は、図４に示されたように、受信機アンテナ７１、コンバイナ７２、無線周波数ダウン・コンバータ装置１５、チャネル要素手段１６、プロセッサ７３、およびインターネット・プロトコル・インターフェイス装置１７を含む。受信機アンテナ７１は、コンバイナ７２を介して無線周波数ダウン・コンバータ装置１５に結合される。無線周波数ダウン・コンバータ装置１５は、チャネル要素手段１６に結合される。チャネル要素手段１６は、プロセッサ７３に結合される。プロセッサ７３は、インターネット・プロトコル・インターフェイス装置１７に結合される。
【００２０】
受信機アンテナ７１は、ＺＣｅｌｌ受信機７０を通信チャネルに結合する。コンバイナ７２は、他の非受信の帯域外信号から受信（された）無線周波数変調トラフィック・データ（ＲＲＦＭＴＤ）信号を分離し、濾波（された）受信無線周波数変調トラフィック・データ（ＦＲＲＦＭＴＤ）信号を無線周波数ダウン・コンバータ（ＲＦＤＣ）装置１５へ出力する。無線周波数ダウン・コンバータ装置１５は、受信（された）ベースバンド変調トラフィック・データ（ＲＢＢＭＴＤ）信号を生成する。無線周波数ダウン・コンバータ装置１５は当技術において既知である。チャネル要素手段１６の主な機能は、周知の技術として知られている第３世代の標準規格に従って、変調されたベースバンド・スペクトラム拡散信号を生成することである。単一のチャネル要素手段は、その処理能力が単一の音声通信セッションを維持するために必要とされるものとして従来技術で定義される。チャネル要素手段１６は、受信（された）トラフィック・データ（ＲＴＤ）信号を生成する。チャネル要素手段１６は、当技術において既知であるように、ＲＢＢＭＴＤ信号を復調するために適切なタップを備えるシフトレジスタを含んでいてもよい。それに代えてチャネル要素手段１６は、デジタル信号プロセサ（ＤＳＰ）または特定用途向けＩＣ（ＡＳＩＣ）として、あるいはその一部として組み入れられてもよい。ＤＳＰおよびＡＳＩＣの構造およびそれらの使用法は、当技術分野において既知である。それに代えてチャネル要素手段１６は、メモリを含んでいてもよい。そのメモリは、個別のコンポーネント、あるいはＤＳＰまたはＡＳＩＣの一部として構成されてもよい。
【００２１】
プロセッサ７３はＩｕｂ転送ブロック（ＩｕｂＴＢ）データ信号を生成する。プロセッサ７３は、デジタル信号プロセサ（ＤＳＰ）または特定用途向けＩＣ（ＡＳＩＣ）として、あるいはその一部として組み入れられてもよい。ＤＳＰおよびＡＳＩＣの構造およびそれらの使用法は、当技術分野において既知である。プロセッサ７３は、ＺＣｅｌｌ受信機７０の制御機能を格納するためのメモリを含んでいてもよい。そのメモリは、個別のコンポーネント、あるいはＤＳＰまたはＡＳＩＣの一部として構成されてもよい。
【００２２】
インターネット・プロトコル・インターフェイス装置１７は、インターネット・プロトコル・パケットのオーバーヘッドおよびフレームをＩｕｂＴＢデータ信号に加え、マルチプレクサＩｕｂオーバ・インターネット・プロトコル（ＭＩｕｂＩＰ）データ信号を生成する。インターネット・プロトコル・インターフェイス装置１７は、ＺＣｅｌｌ受信機７０とＭＵＸ６０との間のインターネット・プロトコル（ＩＰ）通信チャネルを介して送信することである。インターネット・プロトコル（ＩＰ）通信チャネルは、当技術において既知で、そのようなものはインターネット・プロトコル・インターフェイス装置１７である。
【００２３】
ＭＵＸ
ＭＵＸ６０は、インターネット・プロトコル・インターフェイス装置５、遅延装置６、コンバイナ７、およびネットワーク・インターフェイス装置８を含む。インターネット・プロトコル・インターフェイス装置５は、ＺＣｅｌｌ受信機７０からＩｕｂ通信チャネルを介してＭＩｕｂＩＰデータ信号を受信する。インターネット・プロトコル・インターフェイス装置５の主な機能は、ＭＵＸ６０とＺＣｅｌｌ受信機７０との間のインターネット・プロトコル（ＩＰ）通信チャネルを終了し、マルチプレクサＩｕｂ転送ブロック（ＭＩｕｂＴＢ）データ信号を生成することである。インターネット・プロトコル（ＩＰ）通信チャネルは、当技術において既知で、そのようなものはインターネット・プロトコル・インターフェイス装置５である。
【００２４】
遅延装置６は、ＭＩｕｂＴＢデータ信号を適時に遅延させ、その遅延したマルチプレクサＩｕｂ転送ブロック（ＤＭＩｕｂＴＢ）データ信号を生成する。遅延装置６は、当技術において周知であり、ＭＩｕｂＴＢデータ信号を適時に遅延させるために、適切なタップを備えるシフトレジスタを含む。それに代えて遅延装置６は、デジタル信号プロセサ（ＤＳＰ）または特定用途向けＩＣ（ＡＳＩＣ）として、あるいはその一部として組み入れられてもよい。ＤＳＰおよびＡＳＩＣの構造およびそれらの使用法は、当技術分野において既知である。またそれに代えて遅延装置６は、メモリを含んでいてもよい。そのメモリは、個別のコンポーネント、あるいはＤＳＰまたはＡＳＩＣの一部として構成されてもよい。
【００２５】
コンバイナ７は、ＤＭＩｕｂＴＢデータ信号を受信し、組合せＩｕｂ転送ブロック（ＣＩｕｂＴＢ）データ信号生成する。
【００２６】
本発明は、多くのＺＣｅｌｌ受信機装置に関連する付加的なＭＩｕｂＴＢデータ信号を遅延させるために、追加の遅延装置を含んでいてもよい。例として、本発明は、図５および図６に示されるように、ｎ個までの遅延装置を含んでいてもよい。
【００２７】
コンバイナ７は、図６に示されるように、遅延装置２２，２３，２４に結合される。インターネット・プロトコル・インターフェイス装置５は、ＺＣｅｌｌ＃１装置１８によって生成されたマルチプレクサＩｕｂオーバ・インターネット・プロトコル１（ＭＩｕｂＩＰ１）データ信号を受信し、マルチプレクサＩｕｂ転送ブロック１（ＭＩｕｂＴＢ１）データ信号を生成する。同様に、インターネット・プロトコル・インターフェイス装置５は、ＺＣｅｌｌ＃２装置１９によって生成されたマルチプレクサＩｕｂオーバ・インターネット・プロトコル２（ＭＩｕｂＩＰ２）データ信号を受信し、マルチプレクサＩｕｂ転送ブロック２（ＭＩｕｂＴＢ２）データ信号を生成する。さらに、インターネット・プロトコル・インターフェイス装置５は、ＺＣｅｌｌ＃ｎ装置２０によって生成されたマルチプレクサＩｕｂオーバ・インターネット・プロトコルｎ（ＭＩｕｂＩＰｎ）データ信号を受信し、マルチプレクサＩｕｂ転送ブロックｎ（ＭＩｕｂＴＢｎ）データ信号を生成する。遅延装置２２、ＭＩｕｂＴＢ１データ信号を受信し、遅延されたマルチプレクサＩｕｂ転送１（ＤＭＩｕｂＴＢ１）データ信号を生成する。遅延装置２３は、ＭＩｕｂＴＢ２データ信号を受信し、遅延マルチプレクサＩｕｂ転送２（ＤＭＩｕｂＴＢ２）データ信号を生成する。遅延装置２４は、ＭＩｕｂＴＢｎデータ信号を受信し、遅延マルチプレクサＩｕｂ転送ｎ（ＤＭＩｕｂＴＢｎ）データ信号を生成する。コンバイナ７は、組合せＩｕｂ転送ブロック（ＣＩｕｂＴＢ）データ信号生成する。前出のＣＩｕｂＴＢデータ信号のフレームおよび内容は、図７に示される。
【００２８】
ネットワーク・インターフェイス装置８は、基地局制御器マルチプレクサＩｕｂ（ＢＳＣＭＩｕｂ）データ信号を生成する。ネットワーク・インターフェイス装置８の主な機能は、基地局制御器１７との通信チャネルを終了することである。ネットワーク・インターフェイス装置８と基地局制御器１７との間の物理的な通信チャネル、およびその関連するプロトコルは、当技術において周知であり、そのようなものはネットワーク・インターフェイス装置８である。
【００２９】
本発明の範囲および技術思想から逸脱せずに、本発明に係る新規な分散型基地局のアーキテクチャに対して様々な変更がなされ得ることは、当業者には自明であり、また、本発明は、添付の請求項および均等物の範囲内に入る新規な分散型基地局のアーキテクチャの修正および変形をカバーすることが意図される。
【図面の簡単な説明】
【００３０】
【図１】ＤＥＭＵＸ装置のブロック図である。
【図２】ＺＣｅｌｌ送信機のブロック図である。
【図３】コンバイナを備えるＭＵＸのブロック図である。
【図４】ＺＣｅｌｌ受信機のブロック図である。
【図５】分散型基地局のブロック図である。
【図６】コンバイナ回路のブロック図である。
【図７】コンバイナ出力のフレーム・フォーマットである。
【図１】
2009526421.tif 000003
【図２】
2009526421.tif 000004
【図３】
2009526421.tif 000005
【図４】
2009526421.tif 000006
【図５】
2009526421.tif 000007
【図６】
2009526421.tif 000008
【図７】
2009526421.tif 000009
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
セルラー・ネットワークのカバレッジおよび容量を増強する方法において、
複数のセルラー基地局からＩｕｂデータ信号を受信する段階と、
前記Ｉｕｂデータ信号を適時に遅延させることにより遅延Ｉｕｂ信号を生成する段階と、
前記遅延Ｉｕｂ信号を組合せ、かつ組合せＩｕｂ信号を生成する段階と、
前記組合せＩｕｂ信号を基地局制御器へ転送する段階と、
を含むことを特徴とする方法。
【請求項２】
前記基地局制御器からＩｕｂデータ信号を受信する段階と、
前記Ｉｕｂデータ信号を適時に遅延させることにより複数の遅延信号を生成する段階と、
アドレス信号を生成する段階であって、各アドレス信号は前記セルラー基地局のうちの１つのアドレスに対応する、段階と、
複数のＩｕｂデータ信号を生成する段階であって、各データ信号は、前記遅延信号の各々に対し、前記アドレス信号のそれぞれを組合せることにより、前記基地局のうちの１つに対して指定される、段階と、
をさらに含むことを特徴とする請求項１記載の方法。
【請求項３】
前記Ｉｕｂデータ信号は、インターネット・プロトコル（ＩＰ）通信チャンネルを介して転送されることを特徴とする請求項１記載の方法。
【請求項４】
前記遅延Ｉｕｂデータ信号は、１を越える遅延モジュールによって生成されることを特徴とする請求項１記載の方法。
【請求項５】
前記組合せＩｕｂ信号は、連続する順に前記遅延Ｉｕｂ信号を収容することを特徴とする請求項１記載の方法。
【請求項６】
前記基地局制御器は、無線ネットワーク制御器であることを特徴とする請求項１記載の方法。
【請求項７】
ＩＰ通信チャンネルを介して前記Ｉｕｂデータ信号を転送する段階をさらに含むことを特徴とする請求項２記載の方法。
【請求項８】
前記アドレス信号の各々は、前記基地局のうちの１つのＩＰアドレスを含むことを特徴とする請求項２記載の方法。
【請求項９】
セルラー・ネットワークのカバレッジおよび容量を増強するためのシステムにおいて、
複数のセルラーの基地局から複数のＩｕｂデータ信号を受信し、かつ組合されたＩｕｂデータ信号を生成するマルチプレクサを含み、前記マルチプレクサは、
前記Ｉｕｂデータ信号を受信し、かつ複数の遅延したＩｕｂ信号を生成する第１の遅延器、および
前記遅延したＩｕｂ信号を組合せ、かつ基地局制御器へ転送されるべき前記組合されたＩｕｂ信号を生成するコンバイナ、からなる、
ことを特徴とするシステム。
【請求項１０】
前記基地局制御器からＩｕｂデータ信号を受信し、かつ他の複数のＩｕｂデータ信号を生成するデマルチプレクサを含み、前記デマルチプレクサは、
前記Ｉｕｂデータ信号を適時に遅らせることにより、他の複数の遅延信号を生成する第２の遅延器、
複数のアドレス信号を生成するアドレス・ジェネレータであって、各々の信号は、前記基地局の１つのアドレスに対応する、アドレス・ジェネレータ、および
アドレス信号のそれぞれの信号を前記遅延信号の各々のために組合せることにより前記他の複数のＩｕｂデータ信号を生成するためのインタフェース・モジュールであって、各データ信号は前記基地局の１つに指定される、インタフェース・モジュール、からなる、
ことを特徴とする請求項９記載のシステム。
【請求項１１】
前記Ｉｕｂデータ信号は、インターネット・プロトコル（ＩＰ）通信チャンネルを介して転送されることを特徴とする請求項９記載のシステム。
【請求項１２】
前記マルチプレクサは、前記Ｉｕｂデータ信号を前記セルラー基地局から受信するためのＩＰインタフェースを含むことを特徴とする請求項９記載のシステム。
【請求項１３】
前記遅延装置は、複数の遅延モジュールからなり、それぞれは前記Ｉｕｂデータ信号の１つを受信し、かつ遅延したＩｕｂ信号を生成する、ことを特徴とする請求項９記載のシステム。
【請求項１４】
前記組合せＩｕｂ信号は、前記遅延Ｉｕｂ信号を連続する順に収容することを特徴とする請求項９記載のシステム。
【請求項１５】
前記マルチプレクサは、前記組合せＩｕｂ信号を前記基地局制御器へ転送するためのネットワーク・インターフェイスを含むことを特徴とする請求項９記載のシステム。
【請求項１６】
前記基地局制御器は、無線ネットワーク制御器であることを特徴とする請求項９記載のシステム。
【請求項１７】
前記デマルチプレクサは、前記Ｉｕｂデータ信号を前記基地局制御器から受信するためのネットワーク・インターフェイスを含むことを特徴とする請求項１０記載のシステム。
【請求項１８】
前記アドレス信号の各々は、前記基地局の１つのＩＰアドレスを含むことを特徴とする請求項１０記載のシステム。
【請求項１９】
前記インタフェース・モジュールは、ＩＰインタフェース・モジュールであることを特徴とする請求項１０記載のシステム。